(57)【要約】【課題】遊技機の配置替え（新台導入、撤去、台移動）を行う際の遊技者向けの情報表示装置におけるデータの引継ぎ処理をより短期間で行えるようにする。【解決手段】遊技機２の配置替えに伴って情報表示装置４のデータ（大当たり回数、スタート回数等の遊技情報）を転送する場合に、データの転送元となる移動元の台番が隣合うと共に転送先となる移動先の台番も隣合う転送指示をグループ化し、そのグループ化したグループ単位で、転送元となる遊技機２に対応するデータを、転送先となる遊技機２に対応するデータとして転送して引継ぐようにした。【選択図】図１
2014087466.tif 000002
【特許請求の範囲】
【請求項１】
遊技機に対応して設けられ、当該対応する遊技機の遊技情報を記憶し、その遊技情報を遊技者向けに表示する遊技情報表示装置が複数設けられた遊技場向けの遊技場用システムであって、
遊技機の配置替えに伴って前記遊技情報表示装置に記憶されている遊技情報を転送する場合に、対象となる遊技情報表示装置、或いは当該遊技情報表示装置に対応する遊技機のＩＤである対象ＩＤであって、遊技情報の転送元となる移動元ＩＤ、及び遊技情報の転送先となる移動先ＩＤを特定可能な転送指示の入力操作であり、対象となる前記対象ＩＤが単数、及び複数の少なくとも一方となる入力単位で行われる入力操作を受付ける操作手段と、
前記対象ＩＤに対して遊技機が隣合うことを示す前記対象ＩＤを特定可能な設定情報を予め設定する設定手段と、
前記操作手段が受付けた入力操作、及び前記設定情報により、前記移動元ＩＤが隣合うと共に前記移動先ＩＤも隣合う転送指示を特定する転送指示特定手段と、
前記移動元ＩＤが隣合うと共に前記移動先ＩＤも隣合うことを条件として転送指示をグループ化することで、前記入力単位とは異なる単位で転送指示をグループ化するグループ化手段と、
前記グループ化手段によりグループ化されたグループ単位で、前記転送指示に基づき転送元となる遊技機に対応する遊技情報を、転送先となる遊技機に対応する遊技情報として転送する転送処理を実行する遊技情報転送手段と、を備えたことを特徴とする遊技場用システム。
【請求項２】
前記転送指示特定手段は、前記入力操作により対象となる前記対象ＩＤが単数となる前記転送指示である単転送指示を複数特定すると共に、その単転送指示単位で前記移動元ＩＤ、及び前記移動先ＩＤを比較することで、前記移動元ＩＤが隣合うと共に前記移動先ＩＤも隣合う転送指示を特定し、
前記グループ化手段は、前記移動元ＩＤが隣合うと共に前記移動先ＩＤも隣合うことを条件として複数の前記単転送指示をグループ化することを特徴とする請求項１に記載した遊技場用システム。
【請求項３】
前記移動先ＩＤが他の転送指示の移動元ＩＤとなっていない転送指示であるシンク指示を特定するシンク指示特定処理を実行するシンク指示特定手段と、
前記転送指示のグループ単位で、前記転送指示の全てが前記シンク指示として特定されたか否かを判定し、その全てがシンク指示として特定されたことを条件として、当該グループ単位で転送を許容する転送許容処理を実行する許容手段と、
前記転送許容処理が行われた場合に、転送が許容されていない転送指示を対象として、再度シンク指示特定処理を前記シンク指示特定手段に実行させると共に、そのシンク指示特定処理後に再度転送許容処理を前記許容手段に実行させ、前記シンク指示特定処理を実行しても前記シンク指示が特定不可能となるまで、前記シンク指示特定処理と前記転送許容処理とを繰返し実行させる転送振分処理を実行する振分手段と、を備え、
前記遊技情報転送手段は、前記転送許容処理にて転送が許容された順に前記転送処理を実行することを特徴とする請求項１又は２に記載した遊技場用システム。
【請求項４】
前記移動元ＩＤと前記移動先ＩＤとが循環する複数の転送指示をリング指示としてグループ化するリング手段と、
前記リング手段によりグループ化されたグループ内の１つのリング指示に対応した遊技情報の転送を無効とする一方、他のリング指示を前記移動元ＩＤと前記移動先ＩＤとで遊技情報を交換する前記転送指示である交換転送指示へと変更する転送指示変更手段と、を備え、
前記遊技情報転送手段は、前記転送指示のうち前記交換転送指示について前記転送処理を実行する場合は、転送元となる遊技機に対応する遊技情報と、転送先となる遊技機に対応する遊技情報とを交換するように前記転送処理を実行することを特徴とする請求項１乃至３の何れかに記載した遊技場用システム。
【請求項５】
前記リング指示として特定された転送指示を前記グループ化手段によるグループ化の対象から除外する処理、及び前記リング指示として特定されたか否かにより前記グループ化手段によるグループ化の対象となる転送指示を区分けする処理のうち少なくとも一方の処理を実行するグループ補正手段を備えたことを特徴とする請求項４に記載した遊技場用システム。
【請求項６】
前記転送指示により特定される前記対象ＩＤのうち前記移動元ＩＤとしては特定されるが前記移動先ＩＤとしては特定されない対象ＩＤを遊技場に新規導入される遊技機を示す新台ＩＤとして特定する処理、及び前記対象ＩＤのうち前記移動先ＩＤとしては特定されるが前記移動元ＩＤとしては特定されない対象ＩＤを遊技場から撤去される遊技機を示す撤去ＩＤとして特定する処理のうち少なくとも一方である遊技機特定処理を実行することで、前記新台ＩＤ、及び前記撤去ＩＤのうち少なくとも一方である変更ＩＤを特定する遊技機特定処理を実行する遊技機特定手段と、
前記遊技機特定処理により特定された前記変更ＩＤ、及び当該変更ＩＤの対象数のうち少なくとも一方を示す変更情報を出力する出力手段と、を備えたことを特徴とする請求項１乃至５の何れかに記載した遊技場用システム。
【発明の詳細な説明】
【技術分野】
【０００１】
本発明は、遊技機に対応して設けられ、当該対応する遊技機の遊技情報を記憶し、その遊技情報を遊技者向けに表示する遊技情報表示装置が複数設けられた遊技場向けの遊技場用システムに関する。
【背景技術】
【０００２】
遊技場では遊技客を呼び込むために新台導入や台移動等の配置替えを頻繁に行っている。そして、配置替えを行う際には遊技者向けの遊技情報表示装置の遊技情報（データ）を配置替え前から引継ぐ必要があるが、その際、その引継ぎ順序を配慮しないとデータを消失する虞があるので、その引継ぎ順序を配慮してデータを引継ぐことを可能なシステムを出願人は既に提案している（特許文献１参照）。
【先行技術文献】
【特許文献】
【０００３】
【特許文献１】特開２０１１−０２４９４７号公報
【発明の概要】
【発明が解決しようとする課題】
【０００４】
上記した特許文献１にも開示されているが、このようなデータの引継ぎ処理は配置替えの対象となる遊技機が多ければ多いほど長時間を要する処理となるので、この処理時間を短縮することが求められている。ここで、データの引継ぎ処理を１件ずつ行うのではなく、特許文献１に開示されているように複数の引継ぎ処理を入力し、データを纏めて引継ぎ処理を実行することで処理期間を短縮することができる。しかしながら、この引継ぎ処理を実行する場合、データの移動元、及びデータの移動先が共に隣合う遊技機のデータを纏めて移動することで、処理効率を高めることができ、同量のデータを纏めずに移動する場合よりも処理期間をより一層短縮することができるが、特許文献１ではこの点を考慮した上で引継ぎ処理を実行していないので、今一歩、その処理期間を短縮することが難しかった。
【０００５】
本発明は、上記した事情に鑑みてなされたものであり、その目的は、遊技機の配置替えを行う際の遊技者向けの遊技情報表示装置における遊技情報の引継ぎ処理をより短期間で実行することができる遊技場用システムを提供することにある。
【課題を解決するための手段】
【０００６】
請求項１に記載した発明は、遊技機に対応して設けられ、当該対応する遊技機の遊技情報を記憶し、その遊技情報を遊技者向けに表示する遊技情報表示装置が複数設けられた遊技場向けの遊技場用システムであって、遊技機の配置替えに伴って前記遊技情報表示装置に記憶されている遊技情報を転送する場合に、対象となる遊技情報表示装置、或いは当該遊技情報表示装置に対応する遊技機のＩＤである対象ＩＤであって、遊技情報の転送元となる移動元ＩＤ、及び遊技情報の転送先となる移動先ＩＤを特定可能な転送指示の入力操作であり、対象となる前記対象ＩＤが単数、及び複数の少なくとも一方となる入力単位で行われる入力操作を受付ける操作手段と、前記対象ＩＤに対して遊技機が隣合うことを示す前記対象ＩＤを特定可能な設定情報を予め設定する設定手段と、前記操作手段が受付けた入力操作、及び前記設定情報により、前記移動元ＩＤが隣合うと共に前記移動先ＩＤも隣合う転送指示を特定する転送指示特定手段と、前記移動元ＩＤが隣合うと共に前記移動先ＩＤも隣合うことを条件として転送指示をグループ化することで、前記入力単位とは異なる単位で転送指示をグループ化するグループ化手段と、前記グループ化手段によりグループ化されたグループ単位で、前記転送指示に基づき転送元となる遊技機に対応する遊技情報を、転送先となる遊技機に対応する遊技情報として転送する転送処理を実行する遊技情報転送手段と、を備えたことを特徴とする。
【０００７】
請求項２に記載した発明は、前記転送指示特定手段は、前記入力操作により対象となる前記対象ＩＤが単数となる前記転送指示である単転送指示を複数特定すると共に、その単転送指示単位で前記移動元ＩＤ、及び前記移動先ＩＤを比較することで、前記移動元ＩＤが隣合うと共に前記移動先ＩＤも隣合う転送指示を特定し、前記グループ化手段は、前記移動元ＩＤが隣合うと共に前記移動先ＩＤも隣合うことを条件として複数の前記単転送指示をグループ化することを特徴とする。
【０００８】
請求項３に記載した発明は、前記移動先ＩＤが他の転送指示の移動元ＩＤとなっていない転送指示であるシンク指示を特定するシンク指示特定処理を実行するシンク指示特定手段と、前記転送指示のグループ単位で、前記転送指示の全てが前記シンク指示として特定されたか否かを判定し、その全てがシンク指示として特定されたことを条件として、当該グループ単位で転送を許容する転送許容処理を実行する許容手段と、前記転送許容処理が行われた場合に、転送が許容されていない転送指示を対象として、再度シンク指示特定処理を前記シンク指示特定手段に実行させると共に、そのシンク指示特定処理後に再度転送許容処理を前記許容手段に実行させ、前記シンク指示特定処理を実行しても前記シンク指示が特定不可能となるまで、前記シンク指示特定処理と前記転送許容処理とを繰返し実行させる転送振分処理を実行する振分手段と、を備え、前記遊技情報転送手段は、前記転送許容処理にて転送が許容された順に前記転送処理を実行することを特徴とする。
【０００９】
請求項４に記載した発明は、前記移動元ＩＤと前記移動先ＩＤとが循環する複数の転送指示をリング指示としてグループ化するリング手段と、前記リング手段によりグループ化されたグループ内の１つのリング指示に対応した遊技情報の転送を無効とする一方、他のリング指示を前記移動元ＩＤと前記移動先ＩＤとで遊技情報を交換する前記転送指示である交換転送指示へと変更する転送指示変更手段と、を備え、前記遊技情報転送手段は、前記転送指示のうち前記交換転送指示について前記転送処理を実行する場合は、転送元となる遊技機に対応する遊技情報と、転送先となる遊技機に対応する遊技情報とを交換するように前記転送処理を実行することを特徴とする。
【００１０】
請求項５に記載した発明は、前記リング指示として特定された転送指示を前記グループ化手段によるグループ化の対象から除外する処理、及び前記リング指示として特定されたか否かにより前記グループ化手段によるグループ化の対象となる転送指示を区分けする処理のうち少なくとも一方の処理を実行するグループ補正手段を備えたことを特徴とする。
【００１１】
請求項６に記載した発明は、前記転送指示により特定される前記対象ＩＤのうち前記移動元ＩＤとしては特定されるが前記移動先ＩＤとしては特定されない対象ＩＤを遊技場に新規導入される遊技機を示す新台ＩＤとして特定する処理、及び前記対象ＩＤのうち前記移動先ＩＤとしては特定されるが前記移動元ＩＤとしては特定されない対象ＩＤを遊技場から撤去される遊技機を示す撤去ＩＤとして特定する処理のうち少なくとも一方である遊技機特定処理を実行することで、前記新台ＩＤ、及び前記撤去ＩＤのうち少なくとも一方である変更ＩＤを特定する遊技機特定処理を実行する遊技機特定手段と、前記遊技機特定処理により特定された前記変更ＩＤ、及び当該変更ＩＤの対象数のうち少なくとも一方を示す変更情報を出力する出力手段と、を備えたことを特徴とする。
【発明の効果】
【００１２】
請求項１に記載した発明によれば、遊技機の配置替えに伴って遊技情報表示装置に記憶されている遊技情報を転送する場合に、遊技情報の転送元となる移動元ＩＤが隣合うと共に転送先となる移動先ＩＤも隣合う転送指示をグループ化し、そのグループ化したグループ単位で、転送元となる遊技機に対応する遊技情報を、転送先となる遊技機に対応する遊技情報として転送して引継ぐようにしたので、遊技機の配置替えを行う際の遊技情報の引継ぎ処理を効率良く短期間で実行することができる。
【００１３】
請求項２に記載した発明によれば、転送指示の入力単位として対象となる遊技機を１台とするか否かに関わらず、転送指示を単転送指示とした上でグループ化するようになり、入力操作により転送指示として複数の遊技機を対象とした入力単位と、単数の遊技機を対象とした入力単位とが混在した場合であっても、移動元ＩＤ、及び移動先ＩＤが共に隣合う転送指示を特定する処理を同じロジックで実行可能となり、その処理効率を高めることができる。
【００１４】
請求項３に記載した発明によれば、遊技情報を転送した移動先ＩＤが未転送に対応する転送指示の移動元ＩＤとなることを防止することができる。又、シンク指示特定処理と転送許容処理とを繰返し実行することで、移動元ＩＤ、及び移動先ＩＤが共に隣合う転送指示を階層単位でグループ化した上で遊技情報の引継ぎ処理を実行することができ、遊技情報の引継ぎ処理をより短期間で実行することができる。
【００１５】
請求項４に記載した発明によれば、移動元ＩＤと移動先ＩＤとが循環する複数の転送指示をリング指示としてグループ化し、グループ化したグループ内の１つのリング指示に対応した遊技情報の転送を無効とする一方、他のリング指示を移動元ＩＤと移動先ＩＤとで遊技情報を交換する交換転送指示へと変更することで、リング指示であるか否かを気遣うことなく転送指示の入力操作を行うことができる。
【００１６】
請求項５に記載した発明によれば、グループ単位でシンク指示を特定する際に、偶然、リング指示が他のリング指示でない転送指示と移動元ＩＤ、及び移動先ＩＤが隣合うことが想定することができ、この場合、グループ内にリング指示と非リング指示とが混在することになり、この状態でグループ単位にて転送処理を実行すると、グループ単位にて転送処理を実行することができない場合等があり、遊技情報を消失する虞があるが、リング指示として特定された転送指示をグループ化の対象から除外する処理、及びリング指示として特定されたか否かによりグループ化の対象となる転送指示を区分けする処理のうち少なくとも一方の処理を実行することで、その虞を排除することができる。
【００１７】
請求項６に記載した発明によれば、遊技機を新規導入する際に、その新規に導入した遊技機や、その導入により撤去した遊技機を示す申請書類を警察当局に提出する必要があるが、変更情報を出力することで、その申請書類を容易に作成することができ、従来、転送処理についての入力操作と申請書類の作成に掛かる入力操作とを２重に行っていた遊技場の管理者側の負担を軽減することができる。
【図面の簡単な説明】
【００１８】
【図１】本発明の一実施形態を示す全体構成図
【図２】情報表示装置のデータ記憶領域を示す図
【図３】情報表示装置の正面図
【図４】転送指示入力画面を示す図
【図５】グループ情報出力画面を示す図
【図６】入力内容を示す図
【図７】未振分け及び振分け済みを示す図（その１）
【図８】未振分け及び振分け済みを示す図（その２）
【図９】未振分け及び振分け済みを示す図（その３）
【図１０】未振分け及び振分け済みを示す図（その４）
【図１１】未振分け及び振分け済みを示す図（その５）
【図１２】最終並替を示す図
【図１３】移動相関図を示す図
【発明を実施するための形態】
【００１９】
以下、本発明の一実施形態について図面を参照して説明する。図１は遊技場用システム１の全体構成を概略的に示している。遊技場には、遊技機２に１対１に対応して貸出装置３及び情報表示装置４（遊技情報表示装置に相当）が設置されており、２台の貸出装置３及び２台の情報表示装置４は中継装置５に接続されている。中継装置５はＬＡＮ６を介して例えば管理室に設置されている管理装置７（操作手段、設定手段、転送指示特定手段、グループ化手段、遊技情報転送手段、シンク指示特定手段、許容手段、振分手段、リング手段、転送指示変更手段、グループ補正手段、遊技機特定手段、出力手段に相当）に接続されている。管理装置７は、遊技機２側（遊技機２及び貸出装置３）から出力された遊技信号を中継装置５を介して入力する。尚、図１では省略しているが、数１００台の遊技機２が管理装置７の管理対象となる。
【００２０】
遊技機２は、所謂デジパチとしての周知の構成を有し、払出された玉を受ける上部受皿２ａ、上部受皿２ａから溢れた玉又は図示しないレバー操作により上部受皿２ａから導かれた玉を受ける下部受皿２ｂ、上部受皿２ａの玉を盤面に発射するために操作するハンドル２ｃ等を有する。又、遊技機２の盤面には、普図（普通図柄）入賞口２ｄ、第１始動口２ｅ、第２始動口２ｆ、第１始動口２ｅ又は第２始動口２ｆへの入賞に応じて表示図柄が変動する液晶表示部２ｇ、液晶表示部２ｇに表示された図柄が大当たり図柄である場合に発生する大当たり時に開放する大入賞口２ｈ等が設けられている。
【００２１】
貸出装置３は、遊技者が貨幣を投入するための貨幣投入口３ａ、遊技情報や残高や獲得玉等の各種情報を表示する表示機能及び遊技者からの入力を受付ける入力受付機能を有するタッチパネル式の液晶表示部３ｂ、遊技者が会員カードを挿入するためのカード挿入口３ｃ、遊技者がカード挿入口３ｃに挿入されている会員カードを排出させるために操作する排出釦３ｄ等を有する。又、遊技機２の上部受皿２ａよりやや上方の位置に玉払出口３ｅが設けられていると共に、玉払出口３ｅを覆うように払出ノズル３ｆが設けられている。玉払出口３ｅから払出された玉は払出ノズル３ｆを経由して上部受皿２ａに供給される。
【００２２】
遊技機２は以下のように動作する。
（１）第１始動口２ｅ又は第２始動口２ｆへの入賞に応じて大当たり抽選を行い、抽選結果に基づいて所謂特別図柄（特図）による図柄変動を液晶表示部２ｇにて実行し、その結果に応じて大当たりを発生させる。尚、所謂保留玉の上限は各４個ずつであり、保留中に始動入賞した場合は上限まで保留し、図柄変動終了後に順次保留した図柄変動を実行する。
（２）大当たり抽選の当選確率（大当たり確率）は１／３００であり、大当たりのうち大当たり後に確変状態（確変）となる大当たりの割合は７０％である。又、対応するラウンド（Ｒ）を１５Ｒ：２Ｒ＝２：１の割合となるように確率を振分ける。
（３）大当たりが発生すると対応するラウンド（Ｒ）に応じた分だけ大入賞口２ｈを開放する。尚、１Ｒの上限入賞数は１０個であり、上限開放時間は３０秒であり、上限入賞数又は上限開放時間の何れかが満たされた場合に１Ｒを終了する。
【００２３】
（４）確変中は大当たり確率が１／３０に向上すると共に、第２始動口２ｆへの入賞率が向上する時短状態（時短）になる。尚、確変は次回の大当たりまで継続するので、大当たり後に通常遊技状態（通常）となる大当たり（通常大当たり）が発生するまで継続する。
（５）確変中に発生した通常大当たり終了後はその後１００回の図柄変動を行うまで確変ではない時短となる一方、通常中に発生した通常大当たり終了後はそのまま通常へと復帰する。
【００２４】
遊技機２側からは次に示す遊技信号が出力される。
「アウト信号」：消費玉を回収するアウトＢＯＸから出力される消費価値（アウト）を特定可能な信号（稼動信号）である。消費（使用、打込、回収）玉１０玉に対して１パルスが出力されるので、「アウト信号数×１０」をアウトとして特定する。尚、遊技機２から出力される信号であっても良い。
「セーフ信号」：遊技機２から出力される入賞付与価値（セーフ）を特定可能な信号である。払出１０玉に対して１パルスが出力されるので、「セーフ信号数×１０」をセーフとして特定する。尚、補給装置から出力される補給信号をセーフ信号としても良い。
【００２５】
「始動信号」：遊技機２から出力される図柄変動数（役物作動数、スタート）を特定可能な信号である。第１始動口２ｅ又は第２始動口２ｆへの入賞により変動（動作）する液晶表示部２ｇ（役物）における図柄変動（役物作動、スタート処理）１回につき１パルスが出力されるので、「始動信号数×１」をスタートとして特定する。尚、第１始動口２ｅ又は第２始動口２ｆへの入賞に応じて出力される始動入賞信号を大当たり抽選と見做して始動信号としても良い。
「大当たり信号」：遊技機２から出力される大当たりを特定可能な信号である。大当たり中にレベル出力される状態信号であるので、大当たり信号入力中を大当たり中として特定する。
【００２６】
「特別状態信号」：遊技機２から出力される特別状態（甘中）を特定可能な信号である。第２始動口２ｆの入賞率が向上する特別状態中（時短中）にレベル出力される状態信号であるので、特別状態信号の入力中を特別状態中として特定する。尚、大当たり確率が向上する確変中にレベル出力される状態信号（確変信号）であっても良い。又、大当たり信号と特別状態信号の何れも入力していない期間を通常状態として特定する。
「売上信号」：貸出装置３から出力される売上情報（売上玉数、売上額）を特定可能な信号である。遊技者に対する貸出玉２５玉毎に１パルスが出力されるので、「売上信号数×２５」を売上玉数として特定し、「売上玉数×貸出単価（例えば４円）」を売上額として特定する。
【００２７】
管理装置７は、主装置７ａ、キーボード７ｂ、マウス７ｃ、モニタ７ｄ及びプリンタ（図示せず）等を有する。管理装置７は、ＣＰＵからなる制御部、ＨＤＤ、ＲＡＭ及びＲＯＭ等からなる記憶部、Ｉ／Ｆからなる入出力部等を有し、遊技機２側から出力された遊技信号を入力することに基づいて遊技情報（アウト、セーフ、差玉、スタート回数、特賞回数（大当たり回数）、出玉率、売上等のデータ）を当該遊技機２に対して個別に付与されている遊技機ＩＤ（台番）毎に集計して特定する。
【００２８】
情報表示装置４は、ＣＰＵからなる制御部、ＲＡＭ及びＲＯＭ等からなる記憶部、Ｉ／Ｆからなる入出力部、各種の遊技情報を表示する表示部等を備えている。情報表示装置４は、図２に示すデータ記憶領域を備え、遊技機２側から出力された遊技信号を入力することに基づいて遊技情報を特定してデータ記憶領域を更新すると共に、複数日（例えば１０日分）の遊技情報を営業日毎に記憶して表示する機能を有している。データ記憶領域における「項目」の意味は次の通りである。
【００２９】
「大当たり」：営業日毎の累計大当たり回数である。
「超」：「大当たり」のうち最高ラウンド（１５Ｒ）の大当たり回数である。
「小」：「超」以外の大当たり回数である（２Ｒ）。
【００３０】
「確変」：前後何れかの状態が確変状態である大当たり回数である。
「最終スタート」：前回の大当たりからのスタート回数である。
「累計スタート」：営業日毎の累計スタート回数である。
【００３１】
「Ｎ回前Ｓ」：Ｎ回前の大当たりに対応するスタート（その前の大当たり終了後から当該大当たりが発生するまでのスタート）回数である。
図３は、情報表示装置４の正面図である。情報表示装置４は、複数のデータ切替釦を含むデータ切替釦群４ａ及び呼出釦４ｂを有すると共に、上記した表示部として、アウト（縦軸）と出玉（セーフ−アウト）（横軸）との相対関係をグラフ化して表示する出玉グラフ表示部４ｃ、大当たり回数を表示する大当たり回数表示部４ｄ、大当たりの履歴（Ｎ回前のスタートに対応）を表示する履歴表示部４ｅ、スタートを表示するスタート表示部４ｈ、各種イベント情報等を表示するテロップ表示部４ｇを有する。又、情報表示装置４は、遊技情報等を中継装置５を介して他の情報表示装置４や管理装置７との間で入出力可能に構成されている。
【００３２】
さて、遊技場では遊技客を呼び込むために新台導入、撤去、台移動の配置替えを行うのが通常である。そして、遊技場の管理者は、遊技機２の配置替えを行う際に情報表示装置４の遊技情報（データ）を転送させたい場合には管理装置７にて入力操作を行うことで、情報表示装置４のデータを配置替え前から引継ぐようになっている。本実施形態では、上記した構成の作用として、遊技場の管理者が遊技機２の配置替えを行うことで管理装置７に入力した情報（入力内容）を管理装置７が処理する態様について説明する。
【００３３】
管理装置７は、遊技場の管理者が転送指示入力画面を読出す操作（メイン画面（図示せず）から転送指示入力画面への表示切換操作）を行うと、図４に示す転送指示入力画面を表示する（メイン画面から転送指示入力画面に表示を切換える）。遊技場の管理者は、転送指示入力画面にて遊技情報の転送元となる移動元ＩＤである移動元の台番、及び遊技情報の転送先となる移動先ＩＤである移動先の台番を指定可能である。具体的に説明すると、最初に、遊技場の管理者は、マウス７ｃを２回続けて左クリックすることで、移動元の台番を指定する。管理装置７は、遊技場の管理者がマウス７ｃを２回続けて左クリックして指定した台番範囲を移動元の台番範囲として特定し、その特定した移動元の台番範囲を例えば赤色表示にて識別表示する。図４では、遊技場の管理者が１番台にポインタを合わせて左クリックし、続けて６番台にポインタを合わせて左クリックしたことで、１番台から６番台を移動元の台番範囲として指定した場合を例示している。尚、図４では赤色表示の識別表示を該当する台番の横に「○」を付して示している。
【００３４】
次に、遊技場の管理者は、マウス７ｃを１回だけ右クリックすることで、移動先の台番を指定する。管理装置７は、遊技場の管理者がマウス７ｃを１回だけ右クリックして指定した台番を移動元の台番範囲のうち最若番に対応する移動先の台番として特定し、その特定した移動先の台番を例えば水色表示にて識別表示し、更に「コピーｏｒ交換、若番順ｏｒ老番順」をポップ表示し、データの転送がコピーか交換かを選択させると共に、その指定した台番を起点として移動元の対応分を若番順（昇順）に指定するか老番順（降順）に指定するかを選択させる。図４では、遊技場の管理者が４５０台にポインタを合わせて右クリックしたことで、４５０番台を移動先の台番として指定した場合を例示している。尚、図４では水色表示の識別表示を該当する台番の横に「△」を付して示している。
【００３５】
そして、管理装置７は、遊技場の管理者が「コピー」又は「交換」の何れかを選択し、「若番順」又は「老番順」の何れかを選択すると、そのデータの転送指示を確定し、その確定した台番（移動元の台番、及び移動先の台番）を橙色表示にて識別表示する。図４では、遊技場の管理者が４１番台から４８番台等についてデータの転送指示を確定した場合を例示している。尚、図４では橙色表示の識別表示を該当する台番の横に「×」を付して示している。
【００３６】
管理装置７は、遊技場の管理者がデータの転送指示を確定した台番にポインタを合わせて右クリックすると、その右クリックにより指定された台番が移動元の台番であれば「キャンセル？移動元」をポップ表示し、移動先の台番であれば「キャンセル？移動先」をポップ表示し、移動元及び移動先の双方の台番であれば「キャンセル？移動元ｏｒ移動先」をポップ表示し、キャンセルするか否かを選択させる。図４では、遊技場の管理者が１９３番台から２００番台にポインタを合わせて右クリックしたことで、１９３番台から２００番台の台番範囲をキャンセルするか否かの対象とした場合を例示している。尚、図４では説明の都合上、複数のポップ表示を例示しているが、実際には単数のポップ表示である。
【００３７】
そして、遊技場の管理者は、上記した移動元の台番を指定する操作及び移動先の台番を指定する操作を繰返して全ての転送指示を終えると、「登録」釦Ｍ１を押下する。管理装置７は、遊技場の管理者が「登録」釦Ｍ１を押下すると、受付けた転送指示を詳しくは後述する手順にしたがって整理し、図５に示すグループ情報出力画面を表示する（転送指示入力画面からグループ情報出力画面に表示を切換える）。尚、管理装置７は、遊技場の管理者が「終了」釦Ｍ２を押下すると、図５に示すグループ情報出力画面を表示することなく、データの転送指示の受付を終了し、メイン画面を表示する（転送指示入力画面からメイン画面に表示を切換える）。尚、転送指示にて指定された移動元の台番及び移動先の台番が対象ＩＤである。
【００３８】
管理装置７は、転送指示入力画面からグループ情報出力画面に表示を切換えることに応じて、転送指示入力画面にて受付けた転送指示を整理し、転送指示の内容にしたがってグループや処理（後述するコピー又は交換）を色分け（例えば赤、青、黄、緑等）により識別表示する。図５では、台番の横にａ〜ｅ、ｚを付すことで、グループや処理を色分けしていることを示している。例えば４３３番台から４４４番台等は同じグループ（第１グループ）であり、例えば３２番台から３８番台等は同じグループ（第１グループとは別の第２グループ）である。又、例えば４４６番台から４５０番台等は交換のグループである。又、管理装置７は、転送指示を整理することで、移動の階層、新台（新規導入台）及び撤去台が特定可能となるので、グループ情報出力画面では新台及び撤去台を識別表示する。具体的には、新台を２重線の囲みで識別表示し、撤去台を白抜き文字で識別表示する。尚、上記したグループや処理、新台及び撤去台の識別表示は、識別可能であればどのような態様であっても良く、例えば点滅等であっても良い。
【００３９】
管理装置７は、このようにして転送指示の整理を終了すると、データを移動する（転送する）か否かを問合わせるデータ移動問合画面をポップ表示する。管理装置７は、遊技場の管理者がデータ移動問合画面にて「はい」釦Ｍ３を押下すると、データの転送処理を開始し（転送処理を実行し）、遊技場の管理者がデータ移動問合画面にて「いいえ」釦Ｍ４を押下すると、ポップ表示しているデータ移動問合画面を消去する。尚、管理装置７は、遊技場の管理者が「終了」釦Ｍ２を押下すると、この場合もメイン画面を戻って表示する（グループ情報出力画面からメイン画面に表示を切換える）。又、管理装置７は、このようにして転送指示を整理することで、後述する図１３に示すデータの移動の相関を示す移動相関図を特定可能となるので、その移動相関図を併せて表示しても良い。
【００４０】
次に、データの転送指示を整理する手順を、具体的に図６乃至図１３を参照して説明する。
管理装置７は、転送指示の入力内容を図６のように整理する。図６では、入力操作により特定される転送指示を、対象となる台番が単数となるようにレコード化して（区分した単転送指示として）複数特定している。尚、転送指示の入力内容をスペース上の関係から「入力内容１」や「入力内容２」として区分して示しているが本来は一連のデータである。図７以降で後述する未振分けについても同様である。管理装置７は、転送指示の入力終了後に同一台番が複数の転送指示で移動先又は移動元となっていないかを判定し、同一台番が複数の転送指示で移動先又は移動元となっており、エラーがあれば、エラー報知し、その転送指示を報知する。一方、管理装置７は、エラーがなければ、入力内容を未振分けとし、転送指示を移動先の台番順にソートしてＮＯ（レコードＮＯ）を付すと共に、転送指示の単位で移動元及び移動先が共に隣合う転送指示を相関（ＮＯ）として特定してグループ化（２重線にて区切る）する（複数の単転送指示をグループ化する）と共に、移動先が他の転送指示の移動元となっていない転送指示をシンク指示として特定する（シンク指示特定処理を実行する）。
【００４１】
具体的に説明すると、例えばＮＯ３については、移動元の４３番台が４２番台及び４４番台と隣合っていると共に、移動先の１９５番台が１９４番台及び１９６番台と隣合っているので、相関の欄に隣合っている４２番台及び４４番台のＮＯである「２」及び「４」を記録し、移動先の１９５番台が他の転送指示の移動元となっていないので、シンクの欄に移動先の１９５番台が他の転送指示の移動元となっていないことを示す「○」を記録する。一方、例えばＮＯ６については、移動元の４６番台が４５番台及び４７番台と隣合っていると共に、移動先の１９８番台が１９７番台及び１９９番台と隣合っているので、相関の欄に隣合っている４５番台及び４７番台のＮＯである「５」及び「７」を記録するが、移動先の１９８番台が他の転送指示の移動元（ＮＯ８３の移動元）となっているので、シンクの欄に、移動先の１９８番台が他の転送指示の移動元となっていることを示す「×」を記録する。又、例えばＮＯ５０については、移動先の４４６番台が４４５番台及び４４７番台と隣合っているが、移動元の４４８番台が４０番台及び４７２番台と隣合っていないので、相関の欄を空白のままとし、移動先の４４６番台が他の転送指示の移動元（ＮＯ７４の移動元）となっているので、シンクの欄に移動先の４４６番台が他の転送指示の移動元となっていることを示す「×」を記録する。
【００４２】
尚、台番が隣合っているか否かの判定は、隣合う台番として特定し得る遊技機を特定可能な設定情報（対象ＩＤに対して遊技機２が隣合うことを示す対象ＩＤを特定可能な設定情報）を遊技場の管理者が予め設定しておくことで、その設定情報に基づいて行う。この場合、実施形態では説明していないが遊技場には所謂４、９抜きと呼ばれる「４」や「９」の付く台番が採用されない事情や、例えば図４における２４番台と２５番台のように、連番であるにも関わらず異なる遊技機島に配置され、隣合う台番とならない場合もあるので、そのような事情を踏まえ、４番台や９番台を除いて隣合う台番を特定したり、連番であっても異なる遊技島に配置される等して隣合わない場合にはグループ化しなかったりする等の条件を別途定めても良い。即ち、後述するデータを転送する際の一括処理の効率が上がるか否かにより、隣合う台番であるか否かを特定可能となるように設定情報を設定すれば良い。
【００４３】
図７では、図６にて全ての転送指示がシンク指示となったグループを未振分けから振分け済みへとＮＯ順に移動する（転送許容処理を実行する）。尚、未振分け及び振分け済みは管理装置７が管理する別々の記憶領域である。具体的に説明すると、例えばＮＯ３７からＮＯ４２のグループ、ＮＯ４３からＮＯ４８のグループ、ＮＯ６２からＮＯ６４のグループが、図６にて全ての転送指示がシンク指示となったグループであるので、それらの３つのグループを振分け済みへとＮＯ順に移動する。又、非グループの（グループを組めない単独の）転送指示はシンク指示であればそのまま振分け済みへとＮＯ順に移動する。尚、振分け済みでは、未振分けにおける相関及びシンクの欄の代わりに条件及び処理の欄があるが、詳細は後述する。
【００４４】
図８では、図７にて未振分けから振分け済みへと移動した転送指示の移動元が移動先となっている転送指示をシンク指示とする一方、図７にて未振分けから振分け済みへと移動したグループを纏める。具体的に説明すると、図７にて未振分けから振分け済みへと移動した転送指示（例えばＮＯ３７からＮＯ４２のグループ、ＮＯ４３からＮＯ４８のグループ、ＮＯ６２からＮＯ６４のグループの転送指示）の移動元である４６１番台から４６９番台、４７３番台から４７８番台が移動先となっているＮＯ６５からＮＯ７３、ＮＯ７７からＮＯ８２をシンク指示とする（シンクの欄を「×」から「○」に切換える）。
【００４５】
図９以降では、上記した図７と同様に、全ての転送指示がシンク指示となったグループを未振分けから振分け済みへと移動し、上記した図８と同様に、未振分けから振分け済みへと移動したグループを纏め、未振分けにて新たなシンク指示を特定する処理をシンク指示が図１１に示す未振分けのように特定不可能となるまで繰返す（転送振分処理を実行する）。尚、振分け済みではシンク指示を更新する毎に移動可能となった転送指示を２重線にて階層分けして示している。具体的に説明すると、図１１において、例えばＮＯ３７、ＮＯ４３、ＮＯ６２のグループは図８までの１階層目の処理で移動可能となった転送指示であり、ＮＯ６５からＮＯ６７、ＮＯ７７、ＮＯ８１、ＮＯ８２のグループは図９までの２階層目の処理で移動可能となった転送指示であり、ＮＯ１、ＮＯ９、ＮＯ３３、ＮＯ４９のグループは図１０までの３階層目の処理で移動可能となった転送指示であり、ＮＯ５５、ＮＯ６１のグループは４階層目の処理で移動可能となった転送指示であり、ＮＯ７５は５階層目の処理で移動可能となった転送指示である。
【００４６】
ここで、上記した振分け済みの条件及び処理の欄について説明する。条件は、その転送指示を実行するための条件を示しており、図６に示した転送指示の入力を終了した時点でシンク指示だけのグループ（１階層目の処理で移動可能となった転送指示のグループであり、ＮＯ３７、ＮＯ４３、ＮＯ６２のグループ）については、開始指示を記録し、即ち、開始指示がある（図５に示したグループ情報出力画面の「はい」釦Ｍ３の押下した）ことを条件として転送処理を実行する。一方、それ以外のグループ（２階層目以降の処理で移動可能となった転送指示のグループであり、ＮＯ６５以降のグループ）については、その移動先の台番が自身よりも前の階層の移動元であるＮＯを記録し、そのＮＯの転送処理を実行したことを条件として転送処理を実行する。
【００４７】
具体的に説明すると、例えば２階層目のＮＯ６５の転送処理は、その移動先の４６１番台を移動元の台番とする１階層目のＮＯ６２の転送処理を実行したことを条件として実行する処理である。又、例えば３階層目のＮＯ１の転送処理は、その移動先の１９３番台から２００番台の少なくとも何れかを移動元の台番とする２階層目のＮＯ８２の転送処理を実行したことを条件として実行する処理である。処理は、コピー又は交換の何れかがあり、コピーは、移動元のデータを移動先へとコピーする態様である。交換は、移動元のデータと移動先のデータとを交換する態様である。尚、交換する場合は、一方のデータを管理装置７に一旦退避した状態で転送処理を行い、その後に、管理装置７に一旦退避したデータを情報表示装置３へと転送する。
【００４８】
又、図１１では、未振分けにてグループ単位でのシンク指示が特定不可能となったので、グループ化を一旦解除し（グループ化の対象から除外する処理を実行し）、複数の転送指示同士で移動先が他の転送指示の移動元となるリング指示を各々区分けしてグループ化し、そのうちの１つを処理対象から外し（グループ内の１つのリング指示に対応した遊技情報の転送を無効とする）、残りを交換とする（他のリング指示を交換転送指示へと変更する）処理をグループ単位で行う。具体的に説明すると、例えばＮＯ５０、ＮＯ５２、ＮＯ５４、ＮＯ７４については、移動元及び移動先が４４８番台、４５０番台、４７０番台、４４６番台で循環しているので、グループ化してそのうちの１つ（例えばＮＯ７４）を処理対象から外し（処理の欄に「×」を記録し）、残りを交換とする（処理の欄に「交換」を記録する）処理をグループ単位で行う。
【００４９】
尚、図１１において、グループ化を一旦解除する際に、シンク指示が混在している場合もあるが、それはリング指示ではないので、その転送指示の移動先が振分け済みのうちの何れの階層の転送指示の移動元と同一であるかを特定し、その階層の次の階層へと移動する。又、対象とする転送指示がなければ１階層目とし、その転送指示を振分け済みとすることでシンク指示になる転送指示があれば、その次の階層へと振分ける処理をシンク指示が特定不可能となるまで繰返す。この処理にて振分け済みとした転送指示は振分け済みにて移動先及び移動元が隣合うことでグループ化可能であればグループ化する。
【００５０】
図１２は、図１１までの処理にて振分けた結果である最終並替を示し、グループ化した転送指示については属性として、移動元を若番順とした場合に移動先が若番順又は老番順の何れであるかを対応付ける。若番順とは移動元と移動先とで台番の昇順又は降順を同じとすることを意味し、老番順とは移動元と移動先とで台番の昇順又は降順を異ならせることを意味する。具体的に説明すると、例えば順番１の移動元である４６４番台から４６９番台のデータを移動先である４３３番台から４３８番台に若番順でコピーする場合であれば、４６４番台のデータを４３３番台にコピーし、４６５番台のデータを４３４番台にコピーし、４６６番台のデータを４３５番台にコピーする（以下、同様）というように処理を行う。一方、例えば順番１の移動元である４６４番台から４６９番台のデータを移動先である４３３番台から４３８番台に老番順でコピーする場合であれば、４６４番台のデータを４３８番台にコピーし、４６５番台のデータを４３７番台にコピーし、４６６番台のデータを４３６番台にコピーする（以下、同様）というように処理を行う。
【００５１】
そして、管理装置７は、図１２に示した最終並替に基づいて、移動元として特定されるが移動先として特定されない台番を、新台を示す台番（新台ＩＤ、変更ＩＤ）であるとして特定し（移動元ＩＤとしては特定されるが移動先ＩＤとしては特定されない対象ＩＤを新台ＩＤとして特定する処理、遊技機特定処理を実行する）、移動先として特定されるが移動元として特定されない台番を、撤去台を示す台番（撤去ＩＤ、変更ＩＤ）として特定する（移動先ＩＤとしては特定されるが移動元ＩＤとしては特定されない対象ＩＤを撤去ＩＤとして特定する処理、遊技機特定処理を実行する）。
【００５２】
図１３は、図１２に示した最終並替に対応するデータの移動を示す移動相関図（変更情報）である。移動相関図において、丸数字１から６は移動先の台番が属する階層を示し、丸数字１から６に向かう順で何れも後番（左側）から先番（右側）へとデータの移動を行う。具体的に説明すると、最初に４６１番台のデータを４５８番台にコピーし、次に２２８番台のデータを４６１番台にコピーし、次に４５７番台のデータを２２８番台にコピーし、次に４７１番台のデータを４５７番台にコピーし、次に３９番台のデータを４７１番台にコピーする。即ち、図１３は、図１２により特定される転送指示を階層順にしたがって並替え、連続する階層の移動元及び移動先が共通する場合には同一の縦列（分類）とし、更にその一部のみが共通する場合には同一グループであっても適宜縦列を分割して作成した移動相関図である。
【００５３】
移動相関図にてコピーと交換とを２重線により区分けしているが、その他に２重線で囲っているのは、本発明により移動元及び移動先をグループ化したことで転送処理を最適化した転送指示を示す。即ち、４６１番台から４６３番台のデータを４５８番台から４６０番台にコピーする際には、移動元の４６１番台から４６３番台のデータを移動先の４５８番台から４６０番台へと転送する転送指示をグループ化したことで転送処理を最適化することができる。尚、移動相関図にてそれぞれの縦列の最も左に位置する台番が上記した移動元として特定されるが移動先として特定されない台番、即ち、新台を示す台番であり、図１３では１番台から４８番台の４８台が新台である。
【００５４】
又、移動相関図にてそれぞれの縦列の最も右に位置する台番が上記した移動先として特定されるが移動元として特定されない台番、即ち、撤去台を示す台番であり、図１３では４５１番台から４５３番台、２２５番台から２２７番台、４５８番台から４６０番台等を含む４８台が撤去台である。尚、図１３で示す（ａ）、（ｂ）等は図５に示した転送指示の内容にしたがって識別表示するグループに対応し、色分けにより識別表示する。このように移動相関図では新台や撤去台が容易且つ的確に把握可能となるので、新台や撤去台の申請書類を警察当局に提出する場合に、移動相関図を活用することで申請書類を容易に作成することができ、従来、転送処理についての入力操作と申請書類の作成に掛かる入力操作とを２重に行っていた遊技場の管理者側の負担を軽減することができる。
【００５５】
以上に説明したように本実施形態によれば、遊技機２の配置替えに伴って情報表示装置４のデータを転送する場合に、データの転送元となる移動元の台番が隣合うと共に転送先となる移動先の台番も隣合う転送指示をグループ化し、そのグループ化したグループ単位で、転送元となる遊技機２に対応するデータを、転送先となる遊技機２に対応するデータとして転送して引継ぐようにしたので、データの引継ぎ処理を効率良く短期間で実行することができる。
【００５６】
本発明は、上記した実施形態にのみ限定されるものではなく、以下のように変形又は拡張することができる。
図６に示したように対応する遊技機が単数となるようにして転送指示を一旦単数でレコード化したが、入力操作によりグループ化された複数の転送指示（対応する遊技機が複数ある転送指示）を纏めて１レコードとして特定しても良い。この場合、移動元及び移動先が共に隣合うことを条件としてグループ化を維持する必要がある。
【００５７】
転送指示入力画面やグループ情報出力画面として、図４や図５に示した移動元の台番や移動先の台番をマウス７ｃで指定可能な画面に限らず、移動元の台番や移動先の台番を数値入力する画面を採用しても良い。又、移動元の台番や移動先の台番の入力操作として複数の台番を一括して入力する構成に限らず、１台単位で入力する構成としても良い。
【００５８】
リング指示を特定する際に、台番単位でグループ化したが、移動元ＩＤ及び移動先ＩＤが共に隣合えばリング指示をグループ化しても良い。即ち、隣合う台番のグループ化対象としてリング指示を除外するだけでなく、リング指示として特定されるか否かにより隣合う台番のグループを区分けして特定しても良い。
【００５９】
シンク指示を特定不可能となってからグループ化を解除し、リング指示を除いた上で再度グループ化する態様としたが、予めリング指示を除いた上で、又は区分けした上でグループ化しても良い。この場合、図４における「交換」の選択によりリング指示を特定すれば、リング指示を除いた上でグループ化を容易に実行可能となるが、その選択がなくとも実施形態に示したように転送指示の循環により判定しても勿論良い。
【００６０】
入力操作において新台や撤去台等を管理装置にて判定したが、新台や撤去台等を指定する直接的な入力操作を受付けても良い。又、リング指示を特定することについて、図４における「交換」を選択すること、及び転送指示が循環することでリング指示を特定することを例示したが、転送指示が循環することでリング指示を特定可能であれば、図４における「コピーｏｒ交換」の選択を省略した操作により転送指示を入力することもできる。
【００６１】
機種名と台番とを対応付ける設定を予め行っておくことで、図４に示した転送指示入力画面や図１３に示した移動相関図等で機種名を併せて表示しても良い。
振分処理により新台と撤去台とを特定し、図５に示したグループ情報出力画面にて新台と撤去台とを識別可能に表示したが、このように新台と撤去台とを特定したことにより、新台と撤去台、又は移動台の台数及び台番のうち少なくとも一方を示す設置認定書類等を作成し、印字又は表示出力しても良い。この場合、機種名を対応付けて出力することが望ましい。
【００６２】
情報表示装置を識別するＩＤとしては、対応する遊技機の台番以外に情報表示装置自体のＩＤ等としても良い。
重複等の入力操作ミスが発生したか否かのチェックを入力操作後に行ったが、入力中に行っても良いし、振分処理を行ってから再度入力処理を行い、更に振分処理を行っても良い。
【００６３】
転送対象となる遊技情報としては、図２や図３に示した遊技情報だけでなく、それ以外のどのような遊技情報であっても良い。又、出玉グラフについては、所定アウト（例えば１００玉）毎の出玉を転送対象としたり、出玉グラフを画像情報として転送対象としたりしても良い。
【００６４】
対象となる遊技機としては、他のスペックのパチンコ遊技機やスロットマシン等でも良いし、所謂封入式やクレジット式等の遊技機でも良い。又、管理装置の情報処理の一部、又は全部を中継装置や情報表示装置等にて行う構成としても良い。勿論、情報表示装置の情報処理の一部を中継装置や管理装置等にて行う構成としても良い。又、本願に示した実施例及び変形例はどのように組合わせても良い。
【符号の説明】
【００６５】
図面中、１は遊技場用システム、２は遊技機、４は情報表示装置（遊技情報表示装置）、７は管理装置（操作手段、設定手段、転送指示特定手段、グループ化手段、遊技情報転送手段、シンク指示特定手段、許容手段、振分手段、リング手段、転送指示変更手段、グループ補正手段、遊技機特定手段、出力手段）である。
【図１】
2014087466.tif 000003
【図２】
2014087466.tif 000004
【図３】
2014087466.tif 000005
【図４】
2014087466.tif 000006
【図５】
2014087466.tif 000007
【図６】
2014087466.tif 000008
【図７】
2014087466.tif 000009
【図８】
2014087466.tif 000010
【図９】
2014087466.tif 000011
【図１０】
2014087466.tif 000012
【図１１】
2014087466.tif 000013
【図１２】
2014087466.tif 000014
【図１３】
2014087466.tif 000015